(57)【特許請求の範囲】
【請求項１】
電源装置を備える光源ユニットが着脱可能に取り付けられる照明器具において、
長手方向に延びた凹部であって、内側に側面部と底面部とを有すると共に前記底面部に対向する位置に開口部が形成され、前記底面部に端子台が設置されると共に前記電源装置の少なくとも一部が前記開口部から挿入される凹部と、
前記凹部に設けられ、前記端子台に接続される電線の一部を前記側面部に沿わせて固定する電線固定部と
を有し、
前記電線固定部は、
前記側面部又は前記底面部のいずれかに前記凹部とは別部材を取り付けることにより形成され、前記凹部における前記電源装置の少なくとも一部が挿入される部分の長手方向の両端部の各端部に配置される照明器具。
【請求項２】
前記電線固定部は、さらに、
前記凹部の長手方向の両端部のうち少なくともいずれかの端部に配置される請求項１に記載の照明器具。
【請求項３】
前記電線固定部は、
前記側面部に対向して形成された保持部を備え、
前記電線の一部は、
前記側面部と前記保持部との間の空間に、前記開口部から前記底面部に向かう方向に挿入され、
前記保持部は、
前記空間に挿入された前記電線の一部を前記側面部に沿わせて保持する請求項１または２に記載の照明器具。
【請求項４】
前記照明器具は、
前記凹部の長手方向の端部に取り付けられる端板部をさらに備え、
前記端板部には、
記電線固定部により前記側面部に沿って保持された前記電線を通過させる第１電線挿通孔が形成されている請求項３に記載の照明器具。
【請求項５】
前記第１電線挿通孔は、
前記端板部の幅方向の中央部にノックアウト加工により形成され、
前記端板部は、さらに、
前記第１電線挿通孔の幅よりも広い幅の第２電線挿通孔がノックアウト加工により形成される請求項４に記載の照明器具。
【請求項６】
前記保持部は、
前記側面部から突出し、前記空間に挿入された前記電線の一部を止める止め部と、
前記止め部の端部から前記開口部に向かって形成され、前記電線の一部を前記側面部に押し付ける押圧部と
を備える請求項３から５のいずれか１項に記載の照明器具。
【請求項７】
前記保持部は、
前記底面部から前記開口部に向かって形成され、前記電線の一部を前記側面部に押し付ける請求項３から５のいずれか１項に記載の照明器具。
【請求項８】
前記電線固定部は、
前記保持部の端部に前記電線の一部の挿入をガイドする挿入ガイド部を備える請求項３から７のいずれか１項に記載の照明器具。
【請求項９】
前記端板部は、
前記凹部の長手方向の端部に取り付けられた状態で、前記凹部の長手方向の端部を塞ぐ端板本体部を有し、
前記端板本体部は、
前記第１電線挿通孔が形成される領域を含み、前記第１電線挿通孔より大きい第２電線挿通孔の形状の第２切り込み部により形成された第２電線挿通孔部であって、前記第２切り込み部の一部に前記端板部と連結する第２つなぎ部を有する第２電線挿通孔部と、
前記第２電線挿通孔部に形成され、前記第１電線挿通孔の形状の第１切り込み部により形成された第１電線挿通孔部であって、前記第１切り込み部の一部に前記第２電線挿通孔部と連結する第１つなぎ部を有する第１電線挿通孔部と
を備える請求項４に記載の照明器具。
【請求項１０】
前記端板部は、
前記凹部の長手方向の端部に取り付けられた状態で、前記端板本体部の周縁から前記凹部の長手方向に立ち上がる端板側辺部を有し、
前記第１電線挿通孔部は、
前記第１切り込み部が前記端板本体部と前記端板側辺部との境界部から、前記端板側辺部の縁部まで延び、
前記第２電線挿通孔部は、
前記第２切り込み部が前記境界部から前記端板側辺部の縁部まで形成され、前記第２切り込み部の前記境界部から前記端板側辺部の縁部までの部分が前記凹部の短手方向の端部に突き出すことにより形成されたくさび部を備える請求項９に記載の照明器具。
【請求項１１】
前記第１電線挿通孔部は、
前記端板側辺部において前記第２電線挿通孔部と連結する第１連結部を備え、
前記第２電線挿通孔部は、
前記端板側辺部において前記端板側辺部と連結する第２連結部を備えた請求項１０に記載の照明器具。
【請求項１２】
前記電線固定部は、前記底面部に取り付けられ、
前記底面部には、係止開口部が形成され、
前記電線固定部は、
前記底面部に取り付けられた状態で前記底面部に対向する電線止め部と、
前記電線止め部から立ち上がり、前記電線の一部を保持する電線保持部と、
前記電線止め部において前記電線保持部が立ち上がる方向の反対方向に形成され、前記底面部の係止開口部と係り合うことにより前記底面部に係止される係止部と
を備える請求項１または２に記載の照明器具。
【請求項１３】
前記電線保持部は、
前記電線固定部が前記底面部に取り付けられた状態で端部が前記側面部の側に曲がる請求項１２に記載の照明器具。
【請求項１４】
前記電線保持部は、
前記電線固定部が前記底面部に取り付けられた状態で端部が前記側面部の反対側に曲がる請求項１２に記載の照明器具。
【請求項１５】
前記電線固定部は、
前記係止部が前記係止開口部に挿入された後に前記底面部に沿ってスライドされることにより前記底面部に係止される請求項１２から１４のいずれか１項に記載の照明器具。
【請求項１６】
請求項１から１５のいずれか１項に記載の照明器具と、前記照明器具に取り付けられる光源ユニットとを有する照明装置。
【発明の詳細な説明】
【技術分野】
【０００１】
本発明は、照明器具及び照明装置に関するものである。
【背景技術】
【０００２】
特許文献１には、天井に取り付けられた照明器具に、長尺状の光源ユニットの一方を係止片で引っかけ、他方をバネで取り付ける照明装置が開示されている。
【先行技術文献】
【特許文献】
【０００３】
【特許文献１】特開２０１４−７８４２６号公報
【発明の概要】
【発明が解決しようとする課題】
【０００４】
特許文献１のように照明器具の凹部に光源ユニットを取り付ける照明装置では、光源ユニットを照明器具に取り付ける際に、照明器具の凹部に自己に接続する電源電線や他の照明器具へ送る送り電源電線等の電線を収納する。しかし、照明器具の凹部の幅が狭いため、光源ユニットに搭載される電源装置を凹部に収納させるとき、電線と電源装置とが干渉する虞がある。また、電線と電源装置とが干渉することにより、光源ユニットと照明器具の間に隙間が生じたり、電線が光源ユニットと照明器具との間に挟まれたりする虞がある。
【０００５】
本発明は、光源ユニットを照明器具に取り付ける際に、電線が光源ユニットに搭載された電源装置等と干渉することを防止する照明器具を提供することを目的とする。
【課題を解決するための手段】
【０００６】
本発明に係る照明器具は、電源装置を備える光源ユニットが着脱可能に取り付けられる照明器具において、長手方向に延びた凹部であって、内側に側面部と底面部とを有すると共に前記底面部に対向する位置に開口部が形成され、前記底面部に端子台が設置されると共に前記電源装置の少なくとも一部が前記開口部から挿入される凹部と、前記凹部に設けられ、前記端子台に接続される電線の一部を前記側面部に沿わせて固定する電線固定部とを有し、前記電線固定部は、前記側面部又は前記底面部のいずれかに取り付けられた状態で、前記凹部における前記電源装置の少なくとも一部が挿入される部分の長手方向の両端部の各端部に配置される。
【発明の効果】
【０００７】
本発明に係る照明器具によれば、電線固定部が凹部において電源装置の少なくとも一部が挿入される部分の長手方向の両端部の各端部に配置されるので、電源装置が挿入される部分の電線を側面部に沿わせることができ、電源装置と電線とが干渉することを防ぐことができる。
【図面の簡単な説明】
【０００８】
【図１】実施の形態１に係る照明装置を示す斜視図。
【図２】実施の形態１に係る照明装置を示す分解斜視図。
【図３】実施の形態１に係る光源ユニットを示す斜視図。
【図４】実施の形態１に係る照明装置の断面図。
【図５】実施の形態１に係る照明装置の断面図であり、図４で示した電線固定部とは異なる構成の電線固定部を示す図。
【図６】実施の形態１に係る照明器具における電線の配線についての説明図。
【図７】実施の形態２に係る照明装置を示す分解斜視図。
【図８】実施の形態２に係る照明器具における電線の配線についての説明図。
【図９】実施の形態２に係る照明装置の分解斜視図であり、図７に示した端板部とは異なる形状の端板部が取り付けられた照明装置を示す図。
【図１０】実施の形態２に係る端板部を示す図であり、（ａ）が端板部２２０ａの正面図、（ｂ）が端板部２２０ｂの正面図、（ｃ）が端板部２２０ｃの正面図。
【図１１】実施の形態３に係る照明器具の断面図。
【図１２】実施の形態３に係る電線固定部の取り付け工程を示す模式図。
【図１３】実施の形態４に係る照明装置を示す図であり、（ａ）は照明装置の斜視図、（ｂ）は照明装置の分解斜視図。
【図１４】実施の形態４に係る端板部の構成を示す斜視図。
【図１５】実施の形態４に係る端板部における第１電線挿通孔部の取り外し工程を示す図。
【図１６】実施の形態４に係る端板部における第２電線挿通孔部の取り外し工程を示す図。
【図１７】実施の形態４に係る端板部における第２電線挿通孔部の取り外し工程を示す図。
【図１８】実施の形態５に係る電線固定部の取り付け工程を示す斜視図。
【図１９】実施の形態５に係る電線固定部を示す図であり、（ａ）が電線固定部の取り付け状態を示す斜視図、（ｂ）が（ａ）の短手方向で切った断面図。
【図２０】実施の形態５に係る電線固定部の別例の取り付け工程を示す斜視図。
【図２１】実施の形態５に係るストッパーを備えた電線固定部を示す４面図。
【図２２】実施の形態５に係る電線固定部の別例の取り付け工程を示す斜視図。
【発明を実施するための形態】
【０００９】
以下、本発明の実施の形態について、図を用いて説明する。なお、以下に説明する実施の形態によって本発明が限定されるものではない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定するものではない。なお、以下の説明では、被取付部の方向を取付方向あるいは上方とし、光源の照射方向を下方として説明する。
【００１０】
実施の形態１．
＊＊＊構成の説明＊＊＊
図１から図５を用いて、本実施の形態に係る照明装置１０について説明する。
図１は、本実施の形態に係る照明装置１０を示す斜視図である。図２は、本実施の形態に係る照明装置１０を示す分解斜視図である。図３は、本実施の形態に係る光源ユニット１００を示す斜視図である。図４は、本実施の形態に係る照明装置１０の断面図である。図５は、本実施の形態に係る照明装置１０の断面図であり、図４で示した電線固定部とは異なる構成の電線固定部を示す図である。
【００１１】
本実施の形態に係る照明装置１０は、天井面などの被取付部に取り付けられる照明装置であり、長手方向に伸びた長尺状の照明装置である。この照明装置１０は、長手方向に複数連結して用いられる場合がある。
【００１２】
照明装置１０は、電源装置１４０を備える光源ユニット１００と、光源ユニット１００を着脱可能に取り付ける照明器具２００とを有する。
【００１３】
＜光源ユニット１００の説明＞
光源ユニット１００は、長尺状であり、取付部材１１０、取付部材１１０に取り付けられるＬＥＤモジュール１２０、このＬＥＤモジュール１２０を覆う透光性カバー１３０、ＬＥＤモジュール１２０に電力を供給する電源装置１４０、及び照明器具２００に取り付けるための２つの取付具１５０を有する。
なお、光源はＬＥＤモジュールに限らず、有機ＥＬあるいはレーザなどの発光素子を用いてもよい。
【００１４】
取付部材１１０は、長尺状の平面部１１１と、この平面部１１１の幅手方向、すなわち短手方向の両端が折り曲げられて形成される立上部１１２とを有する。
平面部１１１の照射側の面にはＬＥＤモジュール１２０が取り付けられる。また、平面部１１１の取付側の面、すなわち立上部１１２が折り曲げられた側の面には電源装置１４０と２つの取付具１５０とが取り付けられる。
電源装置１４０は、平面部１１１のうち中央よりも長手方向の一方側に寄せて取り付けられている。２つの取付具１５０は、平面部１１１の長手方向の両端側にそれぞれ取り付けられている。立上部１１２には透光性カバー１３０の端部が取り付けられ、透光性カバー１３０が取付部材１１０に固定される。
【００１５】
＜照明器具２００の説明＞
まず、照明器具２００の構成の概要について説明する。
照明器具２００は、長手方向に延びた凹部２１１と、電線固定部２１１ｃとを備える。
凹部２１１は、内側に側面部２１１ｂと底面部２１１ａとを有すると共に底面部２１１ａに対向する位置に開口部２１１ｅが形成される。また、凹部２１１は、底面部２１１ａに端子台２４０が設置されると共に光源ユニット１００が備える電源装置１４０の少なくとも一部が開口部２１１ｅから挿入される。
電線固定部２１１ｃは、凹部２１１に設けられ、端子台２４０に接続される電線２０の一部を側面部２１１ｂに沿わせて固定する。また、電線固定部２１１ｃは、凹部２１１において電源装置１４０の少なくとも一部が挿入される部分２５０の長手方向の両端部の各端部に配置される。さらに、電線固定部２１１ｃは、凹部２１１の長手方向の両端部のうち少なくともいずれかの端部に配置されていてもよい。
【００１６】
次に、照明器具２００の構成について詳しく説明する。
照明器具２００は、長尺状の本体部２１０と、この本体部２１０の長手方向の両端に取り付けられる台形状の端板部２２０と、本体部２１０に取り付けられる２つのバネ２３０及びコネクタ付きの端子台２４０とを備えている。端子台２４０は、電源端子台である。あるいは、端子台２４０は信号端子台でもよい。
本体部２１０は、板金が折り曲げられて形成される。
端子台２４０には、外部電源に接続される電源電線２１が接続される。また、照明器具２００を長手方向に連結した場合に、隣接する照明器具に送る送り電線２２が接続される。電源電線２１や送り電線２２を単に電線２０と称する場合もある。
【００１７】
本体部２１０は、コの字状に折り曲げられて形成される凹部２１１と、この凹部２１１の短手方向の両端から斜め方向、すなわち凹部２１１の開口部２１１ｅとは反対側の方向に折り曲げられて形成される傾斜部２１１ｄとを有する。２つの傾斜部２１１ｄは、凹部２１１の両側の縁部から、取付側に向かって広がるように形成される。
凹部２１１の底面部２１１ａには、２つのバネ２３０と端子台２４０とが取り付けられる。底面部２１１ａは、部品取付部とも称される。側面部２１１ｂは、底面部２１１ａの短手方向の両端から折り曲げられて形成される。
【００１８】
＜電線固定部２１１ｃの説明＞
側面部２１１ｂには、取付側に２つの電線固定部２１１ｃが設けられる。
電線固定部２１１ｃは、短手方向の両側の側面部２１１ｂのそれぞれに２つずつ設けられる。すなわち、照明器具２００には、全部で４つの電線固定部２１１ｃが形成される。
なお、電線固定部２１１ｃはいずれか一方の側面部２１１ｂにのみ２つ形成されていてもよい。
【００１９】
光源ユニット１００が照明器具２００に取り付けられた際に、光源ユニット１００に搭載された電源装置１４０が凹部２１１に収納される。凹部２１１において、電源装置１４０が収納される部分を、挿入される部分２５０とする。２つの電線固定部２１１ｃは、光源ユニット１００が照明器具２００に取り付けられた際に、凹部２１１に収納された電源装置１４０の長手方向の両端側の位置、すなわち挿入される部分２５０の長手方向の両端部の各端部に配置されるように、底面部２１１ａまたは側面部２１１ｂに形成されている。
【００２０】
図２に示すように、２つの電線固定部２１１ｃのうち、側面部２１１ｂの長手方向中央部側に設けられた電線固定部２１１ｃを電線固定部２１１ｃａとし、側面部２１１ｂの長手方向部側に設けられた電線固定部２１１ｃを電線固定部２１１ｃｂとする。
また、図２に示す点線部分が、凹部２１１に収納された場合の電源装置１４０の位置、すなわち挿入される部分２５０を示している。
電線固定部２１１ｃａと電線固定部２１１ｃｂとは、凹部２１１に収納された電源装置１４０の長手方向の両端側の位置にそれぞれ配置される。
なお、電線固定部２１１ｃは、電線固定部２１１ｃａと電線固定部２１１ｃｂとの間に、さらにもう１つ配置されていてもよい。
【００２１】
図４及び図５に示すように、電線固定部２１１ｃは、側面部２１１ｂに対向して形成された保持部２１１１を備える。電線２０の一部は、側面部２１１ｂと保持部２１１１との間の空間２１１５に、開口部２１１ｅから底面部２１１ａに向かう方向に挿入される。保持部２１１１は、空間２１１５に挿入された電線２０の一部を側面部２１１ｂに沿わせて保持する。
【００２２】
図４に示す電線固定部２１１ｃについて説明する。電線固定部２１１ｃの保持部２１１１は、凹部２１１の開口部２１１ｅ側が開口するように短手方向で切った断面が略Ｌ字形状に形成される。
保持部２１１１は、側面部２１１ｂから突出し、空間２１１５に挿入された電線２０の一部を底面部２１１ａ側から止める止め部２１１３と、止め部２１１３の端部から開口部２１１ｅに向かって形成され、電線２０の一部を側面部２１１ｂに押し付ける押圧部２１１４とを備える。
保持部２１１１の止め部２１１３及び押圧部２１１４は、バネ性を有するとともにＬ字状の内側に電線２０が挿入された際に、電線２０を側面部２１１ｂに押し付けるように電線２０に接する。
【００２３】
電線固定部２１１ｃは、保持部２１１１の端部に電線２０の一部の挿入をガイドする挿入ガイド部２１１２を備える。挿入ガイド部２１１２は、電線２０を挿入しやすくする。このように、保持部２１１１は凹部２１１の奥側に配置され、挿入ガイド部２１１２は凹部２１１の開口部２１１ｅ側に配置される。これにより、凹部２１１の開口部２１１ｅから挿入された電線２０を側面部２１１ｂに沿わせるようにして電線固定部２１１ｃに挿入するとともに固定することができる。
なお、電線固定部２１１ｃは、側面部２１１ｂから切り起こされたもの、つまり一体形成されたものであってもよいし、側面部２１１ｂとは別部材であっても構わない。
【００２４】
次に、図５に示す電線固定部２１１ｃについて説明する。図５に示す電線固定部２１１ｃは、保持部２１１１が底面部２１１ａから開口部２１１ｅに向かって形成され、電線２０の一部を側面部２１１ｂに押し付ける。保持部２１１１の端部には、電線２０の一部の挿入をガイドする挿入ガイド部２１１２を備える。
図５に示す電線固定部２１１ｃについても、底面部２１１ａから切り起こされたもの、つまり一体形成されたものであってもよいし、底面部２１１ａとは別部材であっても構わない。
【００２５】
＜端板部２２０の説明＞
端板部２２０は、本体部２１０の長手方向の両端、すなわち凹部２１１の長手方向の端部に取り付けられる。図１に示すように、端板部２２０には、取付側が開口するＵ字状の第１電線挿通孔２２１が形成される。第１電線挿通孔２２１は、電線固定部２１１ｃにより側面部２１１ｂに沿って保持された電線２０を通過させる。第１電線挿通孔２２１は、端板部２２０の幅方向、すなわち短手方向の中央部にノックアウト加工により形成される。第１電線挿通孔２２１は、隣り合う他の照明器具へ送り電線２２を送るために、ノックアウトを解除して開口を形成させて使用する。第１電線挿通孔２２１は、中央電線挿通孔とも称される。
【００２６】
＜光源ユニット１００の取り付け工程＞
次に、図６を用いて、照明器具２００と光源ユニット１００の取り付け工程について説明する。
図６は、本実施の形態に係る照明器具２００における電線２０の配線について説明するための図である。
【００２７】
まず、端板部２２０のノックアウトを解除して第１電線挿通孔２２１の開口を形成させる。複数の照明器具２００の第１電線挿通孔２２１の開口が連通するように、複数の照明器具２００を長手方向にかつ数珠繋ぎ状に天井に取り付ける。天井への取り付けは、天井からつり下げられている吊りボルトに固定する方法、ネジなどの固定具により直接天井に固定する方法などがある。
【００２８】
次に、天井から引き出される電源電線２１、すなわちＦケーブルを照明器具２００の凹部２１１内に引き込み、端子台２４０に接続する。
さらに、端子台２４０から他の照明器具へ電源電線２１を送るための送り電線２２を取り付け、この送り電線２２を２つの電線固定部２１１ｃａ，２１１ｃｂに挿入する。
このとき、送り電線２２を挿入ガイド部２１１２と側面部２１１ｂとの間に押し込むように電線固定部２１１ｃに挿入する。送り電線２２は、保持部２１１１と側面部２１１ｂとの間の空間２１１５に配置され、保持部２１１１の弾性力により保持される。
【００２９】
次に、送り電線２２を端板部２２０の第１電線挿通孔２２１を通して隣接する照明器具２００に送り、隣接する照明器具２００の端子台２４０に接続する。
【００３０】
次に、バネ２３０を光源ユニット１００の取付具１５０に引っ掛け、端子台２４０のコネクタと電源装置１４０とを接続する。その後、光源ユニット１００を照明器具２００に押し上げ、光源ユニット１００が照明器具２００に取り付けられる。
【００３１】
＊＊＊効果の説明＊＊＊
以上のように、本実施の形態に係る照明装置１０によれば、電源線を開口部から挿入し、上方にスライドするだけで、そのまま電源固定部に挿入できる。このように、電線を一方向に動かせばよいので、作業性が向上する。
【００３２】
また、本実施の形態に係る照明装置１０によれば、送り電線を電線固定部に固定するので、送り電線が凹部内で遊ぶことがなくなり、凹部内を広くすることができる。よって、端子台のコネクタと電源装置のコネクタとを接続する際の作業性が向上する。
【００３３】
また、本実施の形態に係る照明装置１０によれば、電線固定部が、電源装置が挿入される部分の両端部近傍に配置されているので、電源装置が挿入される部分を広くすることができる。よって、光源ユニットを照明器具に取り付ける際、送り電線が電源装置に干渉することがない。これにより、作業性が向上し、光源ユニットを照明器具に容易に取り付けることができる。
【００３４】
また、本実施の形態に係る照明装置１０によれば、送り電線が電線固定部に固定されているので、送り電線が凹部から垂れ下がって、凹部の開口部からはみ出すことがない。これにより、光源ユニットと照明器具の凹部との間に送り電線が挟まる虞がなく、作業性が向上する。
【００３５】
以上のように、本実施の形態に係る照明装置１０によれば、電線を照明器具の凹部に開口部から挿入し易くするとともに、確実に凹部の内部に電線を収納することができる。
【００３６】
実施の形態２．
本実施の形態では、主に、実施の形態１と異なる点について説明する。
本実施の形態は、実施の形態１で説明した照明装置１０とは異なる構成の照明装置１０ａ，１０ｂについて説明する。
本実施の形態において、実施の形態１と同様の構成部については同一の符号を付し、その説明を省略する。
【００３７】
＊＊＊構成の説明＊＊＊
図７から図１０を用いて、本実施の形態に係る照明装置１０ａ，１０ｂについて説明する。
図７は、本実施の形態に係る照明装置１０ａを示す分解斜視図である。図８は、本実施の形態に係る照明器具２００ａを連結して取り付けた場合を示す正面図である。図９は、図７に示した端板部２２０ａとは異なる形状の端板部２２０ｂが取り付けられた照明装置１０ｂを示す図である。図１０は、端板部を示す図であり、（ａ）が端板部２２０ａの正面図、（ｂ）が端板部２２０ｂの正面図、（ｃ）が端板部２２０ｃの正面図である。
【００３８】
照明器具２００ａの凹部２１１には、実施の形態１で説明した２つの電線固定部２１１ｃに加え、さらにもう１つ電線固定部２１１ｃを備える。
照明器具２００ａには、２つの電線固定部２１１ｃのうちの端板部２２０ａ側の電線固定部２１１ｃｂと端板部２２０ａとの間に、さらにもう一つの電線固定部２１１ｃｃが配置される。
【００３９】
図７及び図１０の（ａ）に示すように、端板部２２０ａには、実施の形態１で説明した第１電線挿通孔２２１と、第１電線挿通孔２２１の幅よりも広い幅の第２電線挿通孔２２２とがともにノックアウト加工により形成される。第２電線挿通孔２２２の外郭形状は、台形、半円形、四角形、多角形などである。第２電線挿通孔２２２の外郭形状は、第１電線挿通孔２２１の外郭形状より広い幅を有する形状であればどのような形状でも構わない。
【００４０】
図８に示すように、送り電線２２は、３つの電線固定部２１１ｃａ，２１１ｃｂ，２１１ｃｃに固定される。したがって、端板部２２０ａ近傍における送り電線２２の遊びは、図６と比較して少ない。このように、本実施の形態では、送り電線２２の遊びがより少なくなるように構成したため、送り電線２２を端板部２２０ａの短手方向中央部の第１電線挿通孔２２１に引き込みにくくなる。本実施の形態では、短手方向に広がる形状の第２電線挿通孔２２２を開口させることができるので、遊びが少ない送り電線２２であっても幅の広い第２電線挿通孔２２２に引き込み易くすることができる。
【００４１】
なお、図８の隣接した照明器具２００ａに示すように、電線固定部２１１ｃｃが配置されている凹部２１１の端部の反対側の端部にも電線固定部２１１ｃｄを配置してもよい。この電線固定部２１１ｃｃと電線固定部２１１ｃｄとを配置することにより、バネ２３０近傍の凹部２１１を広くすることができる。よって、照明器具２００ａに光源ユニット１００を取り付ける作業の作業性が向上する。
【００４２】
図９及び図１０の（ｂ）に示すように、端板部２２０ｂには、実施の形態１で説明した第１電線挿通孔２２１と、第１電線挿通孔２２１の両脇に楕円形状の第３電線挿通孔２２３をノックアウト加工で形成するようにしてもよい。第３電線挿通孔２２３の形状は、楕円形以外でもよく、円形、多角形などでもよい。あるいは、図１０の（ｃ）に示すように、第１電線挿通孔２２１と同様の形状の電線挿通孔を３つ並べてノックアウト加工により形成してもよい。
図１０の（ｂ）（ｃ）のように電線挿通孔を形成することにより、幅の広い第２電線挿通孔２２２を形成した場合と同様の効果を得ることができる。なお、端板部において側面部寄りに電線挿通孔を形成することができれば、図１０の（ａ）から（ｃ）に示した電線挿通孔以外の形状でも構わない。
【００４３】
＊＊＊効果の説明＊＊＊
以上のように、本実施の形態に係る照明装置１０ａ，１０ｂによれば、端板部に大きな電線挿通孔を形成することで、他の照明器具と連結する際、送り電線を送ることが容易となる。一方、電線挿通孔が大きくなることで、送り電線の遊びが大きくなってしまうが、端板部近傍の側面部に電線固定部を形成したので、この電線固定部に送り電線を固定することで、遊びを少なくし、送り電線の配線の引き回しをすっきりと整理することができる。
【００４４】
実施の形態３．
本実施の形態では、主に、実施の形態１，２と異なる点について説明する。
本実施の形態は、実施の形態１で説明した電線固定部２１１ｃとは異なる構成の電線固定部２１１ｘについて説明する。
【００４５】
＊＊＊構成の説明＊＊＊
図１１は、本実施の形態に係る照明器具２００ｘの断面図である。図１２は、本実施の形態に係る電線固定部の取り付け工程を示す模式図である。
本実施の形態において、実施の形態１，２と同様の構成部については同一の符号を付し、その説明を省略する。
【００４６】
図１１及び図１２に示すように、電線固定部２１１ｘは、照明器具２００ｘとは別部材のクリップである。
電線固定部２１１ｘは、電線保持部２１１ｘａと、電線止め部２１１ｘｂと、嵌入部２１１ｘｃと、つまみ部２１１ｘｄとを備える。
電線保持部２１１ｘａは、電線２０を保持する。電線保持部２１１ｘａは、断面がＪ字状であり、Ｊ字状の曲線部分に電線２０を載せて保持する。
電線止め部２１１ｘｂは、電線２０における奥側、すなわち底面部２１１ａ側を保持する。
嵌入部２１１ｘｃは、凹部２１１の底面部２１１ａに形成された取付孔２１１６に嵌入される突起部である。
【００４７】
つまみ部２１１ｘｄは、Ｐ方向に回動可能であり、Ｐ方向に回動することにより嵌入部２１１ｘｃの大きさを変更する。つまみ部２１１ｘｄが電線保持部２１１ｘａに近づくに従って嵌入部２１１ｘｃの大きさが小さくなり、つまみ部２１１ｘｄが電線保持部２１１ｘａから離れるに従って嵌入部２１１ｘｃの大きさが大きくなる。よって、つまみ部２１１ｘｄをつまんで嵌入部２１１ｘｃの大きさを小さくすることで、電線固定部２１１ｘを取付孔２１１６に着脱することができる。つまみ部２１１ｘｄは、力を加えない状態では、電線保持部２１１ｘａから離れた状態となっている。
【００４８】
次に、凹部２１１に電線固定部２１１ｘを取り付ける取り付け工程について説明する。
まず、電線２０を電線固定部２１１ｘの電線保持部２１１ｘａに引っ掛ける。すなわち、電線２０を電線保持部２１１ｘａのＪ字状の曲線部分に載せる。
そして、つまみ部２１１ｘｄをつまみ、嵌入部２１１ｘｃのサイズを小さくして、取付孔２１１６に嵌め込む。
嵌入部２１１ｘｃを取付孔２１１６に嵌め込んだ後、つまみ部２１１ｘｄを離し、嵌入部２１１ｘｃが取付孔２１１６から抜けないようにする。
【００４９】
＊＊＊効果の説明＊＊＊
以上のように、本実施の形態に係る照明器具２００ｘによれば、電線固定部が設けられていない照明器具であっても、底面部に取付孔を形成するだけで、電線固定部を設置することができる。また、電源装置の配置の変更や電源装置の大きさの変更などにより、凹部内において電線を側面部に沿わせたい場所に変更があった場合でも、取付孔の位置を変更するだけで電線固定部の位置を変更することができる。
なお、電線固定部２１１ｘの形状は、図１１で示した形状以外の形状でもよい。例えば、電線止め部やつまみ部は無くても構わない。また、電線保持部の形状は、断面がＬ字、Ｕ字、Ｖ字状でも構わない。
【００５０】
実施の形態４．
本実施の形態では、主に、実施の形態１〜３と異なる点について説明する。
本実施の形態は、実施の形態１〜３で説明した端板部２２０，２２０ａ，２２０ｂ，２２０ｃとは異なる構成の端板部２２０ｅについて説明する。
本実施の形態において、実施の形態１〜３と同様の構成部については同一の符号を付し、その説明を省略する。
【００５１】
＊＊＊構成の説明＊＊＊
図１３は、本実施の形態に係る照明装置１０ｃを示す図であり、（ａ）は照明装置１０ｃの斜視図、（ｂ）は照明装置１０ｃの分解斜視図である。
図１３の（ａ）は、実施の形態１の図１に対応する図である。図１３の（ａ）において図１と異なる点は、端板部２２０ｅの構成である。
図１３の（ｂ）は、実施の形態１の図２に対応する図である。図１３の（ａ）において図１と異なる点は、端板部２２０ｅの構成及び電線固定部３０００の構成である。
【００５２】
図１４は、本実施の形態に係る端板部２２０ｅの構成を示す斜視図である。
端板部２２０ｅは、凹部２１１の長手方向の端部に取り付けられた状態で、凹部２１１の長手方向の端部を塞ぐ端板本体部２２００を有する。また、端板部２２０ｅは、凹部２１１の長手方向の端部に取り付けられた状態で、端板本体部２２００の周縁から長手方向に立ち上がる端板側辺部１２００を有する。
端板部２２０ｅにおいて、端板本体部２２００と端板側辺部１２００との境界を境界部１２１２とする。
【００５３】
端板本体部２２００は、第１電線挿通孔２２１が形成される領域を含み、第１電線挿通孔２２１より大きい第２電線挿通孔２２２の形状の第２切り込み部２２２１により形成された第２電線挿通孔部２２２０を有する。第２電線挿通孔部２２２０は、第２切り込み部２２２１の一部に端板部２２０ｅと連結する第２つなぎ部２２２２を有する。
第２電線挿通孔部２２２０は、第２切り込み部２２２１が境界部１２１２から端板側辺部１２００の縁部１２１１まで延びている。
【００５４】
第２切り込み部２２２１において境界部１２１２から端板側辺部１２００の縁部１２１１まで延びた部分が、くさび部２２２１ａを形成する。すなわち、第２電線挿通孔部２２２０は、くさび部２２２１ａを有する。
くさび部２２２１ａは、端板側辺部１２００において凹部２１１の短手方向の端部２２０ｅａ側に突き出す形状である。
第２電線挿通孔部２２２０は、第２切り込み部２２２１における端板側辺部１２００の部位の一部に端板側辺部１２００と連結する第２連結部２２２３を備える。すなわち、くさび部２２２１ａは、周縁の一部に第２連結部２２２３を備える。なお、第２連結部２２２３は、くさび部２２２１ａの周縁と端板側辺部１２００との間であれば、どの位置に形成されていても構わない。
【００５５】
また、端板本体部２２００は、第２電線挿通孔部２２２０に形成され、第１電線挿通孔２２１の形状の第１切り込み部２２１１により形成された第１電線挿通孔部２２１０を有する。第１電線挿通孔部２２１０は、第１切り込み部２２１１の一部に第２電線挿通孔部２２２０と連結する第１つなぎ部２２１２を有する。
第１電線挿通孔部２２１０は、第１切り込み部２２１１が境界部１２１２から端板側辺部１２００の縁部１２１１まで延びている。
第１電線挿通孔部２２１０は、第１切り込み部２２１１における端板側辺部１２００の部位の一部に第２電線挿通孔部と連結する第１連結部２２１３を備える。
【００５６】
端板部２２０ｅは、図１４に示すように、略６角形状をした端板本体部２２００と、端板部２２０ｅの周辺部から略垂直に立ち上がった端板側辺部１２００を有している。
端板本体部２２００には、Ｕ字状に形成された第１電線挿通孔部２２１０と第１電線挿通孔部２２１０の外側に略四角形状に形成された第２電線挿通孔部２２２０が形成されている。
なお、第１電線挿通孔部２２１０と第２電線挿通孔部２２２０との各々の形状は、図１４に示す形状以外でも構わない。第１電線挿通孔部２２１０と第２電線挿通孔部２２２０との両方とも同様の形状でもよい。
【００５７】
第１電線挿通孔部２２１０は、Ｕ字形状の対向する側辺のそれぞれに、第２電線挿通孔部２２２０と接続する第１つなぎ部２２１２を有している。
第１電線挿通孔部２２１０の周囲の第１切り込み部２２１１は、端板側辺部１２００の縁部１２１１まで切り込まれている。
【００５８】
第２電線挿通孔部２２２０の周囲の第２切り込み部２２２１において、端板側辺部１２００を切り込む部分がくさび部２２２１ａとなる。
くさび部２２２１ａは、端板本体部２２００と端板側辺部１２００との境界部１２１２から縁部１２１１まで切り込まれることにより形成される。くさび部２２２１ａは、端板部２２０ｅの短手方向の端部２２０ｅａ側に突出する形状であり、例えば略四角形状である。くさび部２２２１ａは、略四角形状の他に略半円形状に突出していてもよいし、略三角形状に突出していてもよい。
第２つなぎ部２２２２は、第２電線挿通孔部２２２０の取付側の２ヶ所で端板本体部２２００と接続する。
なお、上述した第１連結部２２１３、第２連結部２２２３については無くても構わない。
【００５９】
図１５は、本実施の形態に係る端板部２２０ｅにおける第１電線挿通孔部２２１０の取り外し工程を示す図である。
図１５を用いて、第１電線挿通孔部２２１０の取り外し工程に関して説明を行う。
（１）図１５の（ａ）は、第１電線挿通孔部２２１０が端板本体部２２００に取り付けられた状態である。
（２）図１５の（ｂ）は、ペンチ（図示なし）などで第１電線挿通孔部２２１０を掴み、第１つなぎ部２２１２を軸としてＰ方向に回動させている状態である。このとき、第１つなぎ部２２１２は屈曲されて破断し、第１電線挿通孔部２２１０は端板本体部２２００から取り外し可能になる。なお、第２電線挿通孔部２２２０もＰ方向に力が加わるが、くさび部２２２１ａが境界部１２１２に引っ掛かり、第２電線挿通孔部２２２０はＰ方向に回動しない構造となる。したがって、第２電線挿通孔部２２２０は第１電線挿通孔部２２１０の回動につられて端板本体部２２００から外れるということはない。
（３）図１５の（ｃ）は、端板本体部２２００から第１電線挿通孔部２２１０が取り外され、第１電線挿通孔２２１が形成された状態である。
【００６０】
図１６及び図１７は、本実施の形態に係る端板部２２０ｅにおける第２電線挿通孔部２２２０の取り外し工程を示す図である。
図１６及び図１７を用いて、第２電線挿通孔部２２２０の取り外し工程に関して説明を行う。
（１）図１６の（ａ）は、第２電線挿通孔部２２２０が端板本体部２２００に取り付けられた状態である。
（２）図１６の（ｂ）は、ペンチ（図示なし）などでくさび部２２２１ａを掴み、端板側辺部１２００からくさび部２２２１ａを外して起こした状態である。
（３）図１７の（ｃ）は、図１６の（ｂ）の状態より、ペンチ（図示なし）などで第２電線挿通孔部２２２０を掴み、第２つなぎ部２２２２を軸としてＰ方向に回動させている状態である。このとき、第２つなぎ部２２２２は屈曲されて破断し、第２電線挿通孔部２２２０は端板本体部２２００から取り外し可能になる。
（４）図１７の（ｄ）は、端板本体部２２００から第２電線挿通孔部２２２０が取り外され、第２電線挿通孔２２２が形成された状態である。
【００６１】
以上のように、本実施の形態に係る端板部２２０ｅは、第１電線挿通孔部２２１０が第１つなぎ部２２１２により第２電線挿通孔部２２２０に接続し、第２電線挿通孔部２２２０がくさび部２２２１ａと第２つなぎ部２２２２により端板部２２０ｅに接続されている。したがって、本実施の形態に係る端板部２２０ｅによれば、第１電線挿通孔部２２１０をはずす時にくさび部２２２１ａが第２電線挿通孔部２２２０が回動することを防ぐ回動係止部となる。よって、第１電線挿通孔部２２１０を外す際に第２電線挿通孔部２２２０が誤って外れることを防いでいる。また、第２電線挿通孔部２２２０はくさび部２２２１ａをはずした後に、第２つなぎ部２２２２を外すので、過度に端板本体部２２００に力が付加されることを防いでいる。
【００６２】
＊＊＊本実施の形態の効果の説明＊＊＊
照明器具の端板部は、電線挿通孔部をノックアウト加工する際、電線挿通孔部を大きくする場合や異形状にする場合に、不要に電線挿通孔部が抜けないように電源挿通孔部が外周と接続するつなぎ部を大きく形成する必要がある。このように、つなぎ部を大きく形成したり、つなぎ部の箇所を増やすことによって施工性が悪くなる虞がある。しかし、本実施の形態に係る端板部によれば、端板側辺部まで切り込まれた第１電線挿通孔部及び第２電線挿通孔部を備えるので、第２電線挿通孔部が第１電線挿通孔部につられて外れてしまうことを防ぐことができる。
【００６３】
また、本実施の形態に係る端板部によれば、第１電線挿通孔部が第１つなぎ部により第２電線挿通部に接続し、第２電線挿通部がくさび部と第２つなぎ部により端板部に接続されているので、第２電線挿通孔部が第１電線挿通孔部につられて外れてしまうことをより確実に防ぐので、つなぎ部を大きく形成したり、つなぎ部の箇所を増やすことなく、作業性の高い端板部を提供することができる。
【００６４】
実施の形態５．
本実施の形態では、主に、実施の形態１〜４と異なる点について説明する。
本実施の形態は、実施の形態１〜４で説明した電線固定部２１１ｃ，２１１ｃａ，２１１ｃｂ，２１１ｃｃ，２１１ｃｄ，２１１ｘとは異なる構成の電線固定部３０００について説明する。
本実施の形態において、実施の形態１〜４と同様の構成部については同一の符号を付し、その説明を省略する。
【００６５】
＊＊＊構成の説明＊＊＊
図１８は、本実施の形態に係る電線固定部３０００の取り付け工程を示す斜視図である。
図１９は、本実施の形態に係る電線固定部３０００を示す図であり、（ａ）が電線固定部３０００の取り付け状態を示す斜視図であり、（ｂ）が（ａ）において電線固定部３００を短手方向で切った断面図である。
【００６６】
本実施の形態に係る電線固定部３０００は、電線保持部３１００、電線止め部３２００と、Ｔ字形状をした係止部３３００とを有している。
電線固定部３０００は、凹部２１１の底面部２１１ａに取り付けられる。
底面部２１１ａには、係止開口部３４００が形成される。係止開口部３４００は、直線形状をしたツバ部分と、ツバ部分の略中央より垂直方向に直線に形成された中心軸部分とからなるＴ字形状であり電線固定部３０００が取り付けられる。係止開口部３４００は、Ｔ字形状における中心軸部分が側面部２１１ｂと沿う方向に向いている。
【００６７】
電線固定部３０００は、底面部２１１ａに取り付けられた状態で底面部２１１ａに対向する電線止め部３２００を備える。
また、電線固定部３０００は、電線止め部３２００から立ち上がり、電線の一部を保持する電線保持部３１００を備える。
また、電線固定部３０００は、電線止め部３２００において電線保持部３１００が立ち上がる方向の反対方向に形成され、底面部２１１ａの係止開口部３４００と係り合うことにより底面部２１１ａに係止される係止部３３００を備える。係止部３３００は、Ｔ字形状を係止開口部３４００のＴ字形状に合わせて係止開口部３４００に挿入される。
【００６８】
電線保持部３１００は、電線固定部３０００が底面部２１１ａに取り付けられた状態で端部が側面部２１１ｂの側に曲がっている。図１９の（ｂ）に示すように、電線固定部３０００は、電線保持部３１００と、電線止め部３２００と、側面部２１１ｂとにより、電線を保持する。電線保持部３１００は、端部が側面部２１１ｂの側に曲がっているので、電線が電線保持部３１００と電線止め部３２００と側面部２１１ｂとにより形成される空間から外れるのを防ぐことができる。
【００６９】
次に、電線固定部３０００の取り付け工程に関して説明を行う。
電線固定部３０００は、係止部３３００が係止開口部３４００に挿入された後に底面部２１１ａに沿ってスライドされることにより底面部２１１ａに係止される。
まず、電線固定部３０００の係止部３３００を係止開口部３４００に挿し込む。すなわち、係止部３３００は、図１８におけるＡ方向に係止開口部３４００に挿入される。
次に、係止開口部３４００に挿し込まれた電線固定部３０００を水平方向、すなわち底面部２１１ａに沿った図１８におけるＢ方向に可動させる。このとき、図１９の（ｂ）に示すように、底面部２１１ａが電線止め部３２００と係止部３３００との間に挿し込まれ、電線固定部３０００は底面部２１１ａに固定される。
【００７０】
本実施の形態では、電線固定部３０００は係止部３３００を有しており、底面部２１１ａに係止開口部３４００が形成されていることで、電線固定部３０００を容易に底面部２１１ａに取り付けすることができる。
また、電線固定部３０００はＢ方向に可動させ固定される。このＢ方向は、電線を抑える方向、すなわち図１９の（ａ）のＣ方向と略垂直な方向であり、抑えられた電線の反力により電線固定部３０００が外れることを抑制している。
【００７１】
図２０は、本実施の形態に係る電線固定部３０００の別例である電線固定部３０００ａの取り付け工程を示す斜視図である。
図２０は、図１８に対応する図である。図２０において、図１８と異なる点は、係止部３３００ａの形状と、係止開口部３４００ａの形状である。
係止開口部３４００ａは、Ｔ字形状における中心軸部分が側面部２１１ｂから離れる方向、すなわち図２０のＢａ方向に向いている。したがって、係止開口部３４００ａに対応する係止部３３００ａは、Ｔ字形状が係止開口部３４００ａのＴ字形状に合うように形成されている。
【００７２】
電線固定部３０００ａは、まずＡ方向に係止部３３００ａを係止開口部３４００ａに挿入された後に、Ｂａ方向にスライドされ係止される。
このように、電線の反力を考慮した上で、電線固定部３０００を水平方向においてＢ方向に対して垂直方向であるＢａ方向に可動させるような形状でも良い。Ｂ方向に対して垂直なＢａ方向に可動させることにより電線が配設された後に電線固定部３０００ａを取り付けすることができる。
また、このように、凹部２１１の側面部２１１ｂから内側に向かって電線固定部３０００ａをスライドさせて取り付けることによって、電源線を電線固定部３０００ａに挿入して固定したとき、電源線が凹部２１１との間に挟み込まれるので、電線固定部３０００ａがスライドして外れる恐れがない。
また、電線固定部３０００ａ、係止開口部３４００ａの変形例として、Ｂａ方向に対して反対方向、つまり、短手方向における側面部２１１ｂに近づくようにしても良い。それにより、電線をよりおさえる事ができる。また、電線の反力に対しては、ストッパーを用いる事で外れ防止をすることができる。
【００７３】
図２１は、本実施の形態に係るストッパー３５００を備える電線固定部３０００を示す４面図である。
図２１に示すように、電線固定部３０００は、係止部３３００が係止開口部３４００の縁部とあたるストッパー３５００を備える。ストッパー３５００は、弾性変形する形状である。
電線固定部３０００ｂは、ストッパー３５００を備えるので、係止部３３００が係止開口部３４００の縁部から外れることを防ぐ。
【００７４】
図２２は、本実施の形態に係る電線固定部３０００の別例である電線固定部３０００ｂの取り付け工程を示す斜視図である。
図２２に示すように、電線固定部３０００ｂでは、電線保持部３１００が電線止め部３２００の側面部２１１ｂ側の端辺から立ち上がって形成される。
電線固定部３０００ｂは、図２２のように形成されるので、電線保持部３１００と側面部２１１ｂとの間を狭くすることができる。
【００７５】
また、電線固定部３０００ｂは、電線止め部３２００から底面部２１１ａに向かって形成された側壁部３２０１を備える。側壁部３２０１は、電線固定部３０００ｂが底面部２１１ａに固定された状態で、電線止め部３２００と底面部２１１ａとの間に位置する。
電線固定部３０００ｂは側壁部３２０１を有しているので、電線固定部３０００ｂが底面部２１１ａに固定された状態で電線固定部３０００ｂのガタツキを防ぐことができる。
【００７６】
＊＊＊本実施の形態の効果の説明＊＊＊
以上のように、本実施の形態に係る電線固定部は、底面部に固定する際に、凹部内に突設されたつまみ部のような構成を必要としないため、他部材と干渉し難い電線固定部を実現することができる。また、他部材と干渉し難いため、外れ難い電線固定部を実現することができる。
【００７７】
また、本実施の形態に係る電線固定部によれば、係止部を有し、凹部の底面部には係止部が嵌め込まれる係止開口部が形成されているので、係止部を係止開口部に挿入してスライドさせるだけで電線固定部を取り付けることができ、取り付け易い電線固定部を実現することができる。
【００７８】
以上、本発明の実施の形態１から５について説明したが、これらの実施の形態の２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの５つの実施の形態を、全体としてあるいは部分的に、どのように組み合わせて実施しても構わない。
なお、上記の実施の形態は、本質的に好ましい例示であって、本発明、その適用物や用途の範囲を制限することを意図するものではなく、必要に応じて種々の変更が可能である。
【符号の説明】
【００７９】
１０，１０ａ，１０ｂ，１０ｃ  照明装置、２０  電線、２１  電源電線、２２  送り電線、１００  光源ユニット、１１０  取付部材、１１１  平面部、１１２  立上部、１２０  ＬＥＤモジュール、１３０  透光性カバー、１４０  電源装置、１５０  取付具、２００，２００ａ，２００ｃ，２００ｘ  照明器具、２１０  本体部、２１１  凹部、２１１ａ  底面部、２１１ｂ  側面部、２１１ｃ，２１１ｃａ，２１１ｃｂ，２１１ｃｃ，２１１ｃｄ，２１１ｘ  電線固定部、２１１ｘａ  電線保持部、２１１ｘｂ  電線止め部、２１１ｘｃ  嵌入部、２１１ｘｄ  つまみ部、２１１ｄ  傾斜部、２１１ｅ  開口部、２２０，２２０ａ，２２０ｂ，２２０ｃ，２２０ｅ  端板部、２２１  第１電線挿通孔、２２２  第２電線挿通孔、２２３  第３電線挿通孔、２３０  バネ、２４０  端子台、２５０  挿入される部分、２１１１  保持部、２１１２  挿入ガイド部、２１１３  止め部、２１１４  押圧部、２１１５  空間、２１１６  取付孔、１２００  端板側辺部、１２１１  縁部、１２１２  境界部、２２００  端板本体部、２２１０  第１電線挿通孔部、２２１１  第１切り込み部、２２１２  第１つなぎ部、２２１３  第１連結部、２２２０  第２電線挿通孔部、２２２１  第２切り込み部、２２２２  第２つなぎ部、２２２３  第２連結部、２２２１ａ  くさび部、２２０ｅａ  短手方向の端部、３０００，３０００ａ，３０００ｂ  電線固定部、３１００  電線保持部、３２００  電線止め部、３３００，３３００ａ  係止部、３４００，３４００ａ  係止開口部、３５００  ストッパー、３２０１  側壁部。
【図１】
0006576090.tif 000002
【図２】
0006576090.tif 000003
【図３】
0006576090.tif 000004
【図４】
0006576090.tif 000005
【図５】
0006576090.tif 000006
【図６】
0006576090.tif 000007
【図７】
0006576090.tif 000008
【図８】
0006576090.tif 000009
【図９】
0006576090.tif 000010
【図１０】
0006576090.tif 000011
【図１１】
0006576090.tif 000012
【図１２】
0006576090.tif 000013
【図１３】
0006576090.tif 000014
【図１４】
0006576090.tif 000015
【図１５】
0006576090.tif 000016
【図１６】
0006576090.tif 000017
【図１７】
0006576090.tif 000018
【図１８】
0006576090.tif 000019
【図１９】
0006576090.tif 000020
【図２０】
0006576090.tif 000021
【図２１】
0006576090.tif 000022
【図２２】
0006576090.tif 000023